(57)【要約】【課題】コンテンツ記憶装置から楽曲データおよび映像データを取得してこれらを続けて再生する場合に、続いて再生する映像（楽曲）データの音声を頭部分から出力することができる「コンテンツ再生装置およびコンテンツ再生方法」を提供する。【解決手段】ユーザからの入力を受け付ける入力受付部１００と、コンテンツを外部出力すべき旨をコンテンツ記憶装置２０に要求する外部出力要求部１５０と、コンテンツを再生する再生部とを備え、外部出力要求部１５０は、入力受付部１００が受け付けた入力に基づき、楽曲データと映像データとを続けて再生部で再生するときは、当該楽曲データおよび当該映像データをアナログ外部出力すべき旨をコンテンツ記憶装置２０に要求することにより、楽曲（映像）データに続く映像（楽曲）データの再生時に、デジタル（アナログ）情報の再生からアナログ（デジタル）情報の再生への処理切替が不要となるようにしている。【選択図】        図２
2009252250.tif 000002
【特許請求の範囲】
【請求項１】
デジタル形式のコンテンツである楽曲データおよび映像データを内部に記憶したコンテンツ記憶装置から、デジタル外部出力またはアナログ外部出力される上記楽曲データおよびアナログ外部出力される上記映像データを取得して再生するコンテンツ再生装置であって、
ユーザからの入力を受け付ける入力受付部と、
上記入力受付部によって受け付けたユーザからの入力に基づいて、上記楽曲データと上記映像データとを続けて再生するときに、上記楽曲データおよび上記映像データをアナログ外部出力すべき旨を上記コンテンツ記憶装置に要求する外部出力要求部と、
上記外部出力要求部からの要求に応じて上記コンテンツ記憶装置からアナログ外部出力された上記楽曲データおよび上記映像データを再生する再生部とを備えたことを特徴とするコンテンツ再生装置。
【請求項２】
上記コンテンツ記憶装置は、上記楽曲データと上記映像データとから構成される複数のコンテンツを指し示すプレイリストを内部に記憶し、
上記入力受付部は、上記プレイリストに従って上記楽曲データおよび上記映像データを続けて再生するべき旨の入力を受け付け、
上記外部出力要求部は、上記入力受付部によって上記プレイリストに従って上記楽曲データおよび上記映像データを続けて再生するべき旨の入力を受け付けたときは、上記楽曲データおよび上記映像データをアナログ外部出力すべき旨を上記コンテンツ記憶装置に要求することを特徴とする請求項１に記載のコンテンツ再生装置。
【請求項３】
上記楽曲データをデジタル形式からアナログ形式に変換するデジタル−アナログ変換部を更に備え、
上記外部出力要求部は、上記入力受付部によって受け付けたユーザからの入力に基づいて、上記楽曲データのみを再生するときは、上記楽曲データをデジタル外部出力すべき旨を上記コンテンツ記憶装置に要求し、
上記デジタル−アナログ変換部は、上記外部出力要求部からの要求に応じて上記コンテンツ記憶装置からデジタル外部出力された上記楽曲データをアナログ形式に変換し、
上記再生部は、上記デジタル−アナログ変換部によりアナログ形式に変換された上記楽曲データを再生することを特徴とする請求項１に記載のコンテンツ再生装置。
【請求項４】
上記コンテンツ記憶装置は、上記楽曲データのみから構成される１以上のコンテンツを指し示すプレイリストを内部に記憶し、
上記入力受付部は、上記プレイリストに従って上記楽曲データのみを再生するべき旨の入力を受け付け、
上記外部出力要求部は、上記入力受付部によって上記プレイリストに従って上記楽曲データのみを再生するべき旨の入力を受け付けたときは、上記楽曲データをデジタル外部出力すべき旨を上記コンテンツ記憶装置に要求することを特徴とする請求項３に記載のコンテンツ再生装置。
【請求項５】
デジタル形式のコンテンツである楽曲データおよび映像データを内部に記憶したコンテンツ記憶装置から、デジタル外部出力またはアナログ外部出力される上記楽曲データおよびアナログ外部出力される上記映像データを取得して再生するコンテンツ再生方法であって、
ユーザからの入力を受け付ける入力受付ステップと、
上記入力受付部によって受け付けたユーザからの入力に基づいて、上記楽曲データと上記映像データとを続けて再生するときに、上記楽曲データおよび上記映像データをアナログ外部出力すべき旨を上記コンテンツ記憶装置に要求する外部出力要求ステップと、
上記外部出力要求ステップからの要求に応じて上記コンテンツ記憶装置からアナログ外部出力された上記楽曲データおよび上記映像データを再生する再生ステップとを備えたことを特徴とするコンテンツ再生方法。
【発明の詳細な説明】
【技術分野】
【０００１】
本発明は、コンテンツ再生装置およびコンテンツ再生方法に関し、特に、コンテンツを内部に記憶するコンテンツ記憶装置からコンテンツを取得して再生するコンテンツ再生装置およびコンテンツ再生方法に関するものである。
【背景技術】
【０００２】
現在、楽曲データおよび映像データなどのコンテンツを内部に記憶し、内部に記憶しているコンテンツを再生する携帯型のコンテンツ記憶装置が知られている。携帯型のコンテンツ記憶装置のなかには、複数人による同時視聴に適した別体であるコンテンツ再生装置にコンテンツを外部出力するものも存在する（例えば、ｉＰｏｄ（登録商標））。
【０００３】
従来、コンテンツ再生装置は、携帯型のコンテンツ記憶装置から入力するコンテンツが楽曲データである場合も映像データである場合も、ＤＡ変換後のアナログ情報を携帯型のコンテンツ記憶装置から入力していたが、最近、携帯型のコンテンツ記憶装置から入力するコンテンツが楽曲データである場合に、ＤＡ変換前のデジタル情報も携帯型のコンテンツ記憶装置から入力するようになった。すなわち、コンテンツ再生装置は、携帯型のコンテンツ記憶装置から、楽曲データをデジタル情報により取得する一方、映像データをアナログ情報により取得するようになった。
【０００４】
なお、外部出力に関するものでなく再生に関する装置であるが、再生中に、記録媒体に記録された情報がアナログ情報からデジタル情報、もしくは、デジタル情報からアナログ情報に切り替わる際に、再生モードを自動的に切り換える再生装置が知られている（例えば、特許文献１参照）。
【特許文献１】特開平１０-２５５３９２号公報
【発明の開示】
【発明が解決しようとする課題】
【０００５】
しかしながら、コンテンツ再生装置は、楽曲データに続いて映像データを再生する場合、映像データの再生を開始し、再生によって読み出したステータスに基づいて、直前に再生したコンテンツの種類（デジタル情報（楽曲データ））と今回再生するコンテンツの種類（アナログ情報（映像データ））とが異なると判断する。コンテンツの種類が異なると判断した場合、コンテンツ再生装置は、デジタル情報の再生からアナログ情報の再生へと処理の切り替えを行う。そして、その切り替えの完了後に、途中部分（切り替え完了後に出力されるべき部分）から、映像データの音声の出力を開始する。従って、楽曲データに続いて映像データを再生する場合、映像データの頭部分（再生開始から処理の切り替え完了迄に出力されるべき部分）の音声が出力されないという問題が生じる。
【０００６】
同様に、コンテンツ再生装置は、映像データに続いて楽曲データを再生する場合、楽曲データの再生を開始し、再生によって読み出したステータスに基づいて、直前に再生したコンテンツの種類（アナログ情報（映像データ））と今回再生するコンテンツの種類（デジタル情報（楽曲データ））とが異なると判断する。コンテンツの種類が異なると判断した場合、コンテンツ再生装置は、アナログ情報の再生からデジタル情報の再生へと処理の切り替えを行う。そして、その切り替えの完了後に、途中部分から、楽曲データの音声の出力を開始する。従って、映像データに続いて楽曲データを再生する場合、楽曲データの頭部分の音声が出力されないという問題が生じる。
【０００７】
本発明は、このような問題を解決するために成されたものである。すなわち、コンテンツ再生装置にて、楽曲データに続いて映像データを再生する場合であっても、映像データに続いて楽曲データを再生する場合であっても、続いて再生されるべき映像データまたは楽曲データの音声を頭部分から出力できるようにすることを目的とする。
【課題を解決するための手段】
【０００８】
上記した課題を解決するために、本発明では、ユーザからの入力を受け付ける入力受付部と、コンテンツを外部出力すべき旨をコンテンツ記憶装置に対し要求する外部出力要求部と、楽曲データおよび映像データを再生する再生部とを設けている。そして、外部出力要求部は、入力受付部によって受け付けたユーザからの入力に基づいて、楽曲データと映像データとを続けて再生部にて再生するときは、当該楽曲データおよび当該映像データをアナログ外部出力すべき旨をコンテンツ記憶装置に要求するようにしている。
【発明の効果】
【０００９】
上記のように構成した本発明によれば、コンテンツ再生装置にて、楽曲データに続いて映像データを再生する場合、デジタル情報の再生からアナログ情報の再生へと処理を切り替える必要がなくなる。コンテンツ再生装置は、楽曲データに続いて映像データを再生する場合、映像データに加えて楽曲データもアナログ情報により取得するため、楽曲データおよび映像データの何れもアナログ情報の再生をすればよいからである。また、コンテンツ再生装置にて、映像データに続いて楽曲データを再生する場合も、同様に、アナログ情報の再生からデジタル情報の再生へと処理を切り替える必要がなくなる。コンテンツ再生装置は、映像データに続いて楽曲データを再生する場合、映像データに加えて楽曲データもアナログ情報により取得するため、楽曲データおよび映像データの何れもアナログ情報の再生をすればよいからである。従って、コンテンツ再生装置にて、楽曲データに続いて映像データを再生する場合であっても、映像データに続いて楽曲データを再生する場合であっても、続いて再生されるべき映像データまたは楽曲データの音声を頭部分から出力できるようになる。
【発明を実施するための最良の形態】
【００１０】
以下、本発明の一実施形態を図面に基づいて説明する。図１は、本発明の実施形態であるコンテンツ再生装置１０およびこれに接続するコンテンツ記憶装置２０の外観を示す図である。図１に示すコンテンツ記憶装置２０は、デジタル形式のコンテンツである楽曲データおよび映像データを内部に記憶し、内部に記憶している楽曲データおよび映像データを再生する。
【００１１】
コンテンツ記憶装置２０は、ユーザの入力操作を受け付けるボタン２０２、楽曲データおよび映像データに関する情報などをユーザに表示するモニタ２０４、楽曲データおよび映像データの音声を出力するヘッドホン端子２０６を有する。また、コンテンツ記憶装置２０は、コンテンツ再生装置１０とケーブル５を介して接続する。コンテンツ記憶装置２０は、内部に記憶している楽曲データおよび映像データをコンテンツ再生装置１０にケーブル５を介して外部出力する。なお、ケーブル５の一例は、ＵＳＢ（Ｕｎｉｖｅｒｓａｌ  Ｓｅｒｉａｌ  Ｂｕｓ）、ＩＥＥＥ１３９４などの規格によるものである。また、コンテンツ記憶装置２０は、有線でなく無線によってコンテンツ再生装置１０と接続してもよい。
【００１２】
コンテンツ再生装置１０は、コンテンツ記憶装置２０とケーブル５を介して接続する。コンテンツ記憶装置２０は、コンテンツ記憶装置２０からケーブル５を介して外部出力される楽曲データおよび映像データを取得し、取得した楽曲データおよび映像データを再生する。コンテンツ再生装置１０は、ユーザの入力操作を受け付けるボタン１０２、楽曲データおよび映像データに関する情報などをユーザに表示するモニタ１０４、楽曲データおよび映像データの音声を出力するスピーカ１０６を有する。
【００１３】
図２は、図１に示すコンテンツ再生装置１０およびコンテンツ記憶装置２０の構成例を示す図である。図３は、図１に示すコンテンツ再生装置１０のモニタ１０４の表示例を示す図である。コンテンツ再生装置１０は、図２に示すように、図１に示したボタン１０２、モニタ１０４およびスピーカ１０６に加え、入力受付部１１０、表示制御部１２０、音声制御部１３０、外部出力要求部１５０、デジタル−アナログ変換部１６０および入出力部１７０を備える。なお、モニタ１０４、スピーカ１０６、表示制御部１２０および音声制御部１３０は、本発明の再生部に相当する。
【００１４】
また、コンテンツ記憶装置２０は、図１に示したボタン２０２、モニタ２０４およびヘッドホン端子２０６に加え、コンテンツ記憶部２００、入力受付部２１０、表示制御部２２０、音声制御部２３０、読出部２４０、デジタル−アナログ変換部２６０および入出力部２７０を備える。
【００１５】
コンテンツ記憶装置２０のコンテンツ記憶部２００は、楽曲データおよび映像データを記憶する。また、コンテンツ記憶部２００は、ビデオプレイリストおよびミュージックプレイリストを記憶する。ビデオプレイリストとは、１以上の映像データのみ、または、１以上の映像データと１以上の楽曲データとを指し示すプレイリストである。ミュージックプレイリストとは、１以上の楽曲データのみを指し示すプレイリストである。なお、コンテンツ記憶装置２０の入力受付部２１０など他の機能ブロックについては後述する。
【００１６】
コンテンツ再生装置１０の表示制御部１２０は、コンテンツ記憶装置２０のコンテンツ記憶部２００に記憶されたプレイリストの一覧を入出力部１７０から取得する。表示制御部１２０は、入出力部１７０から取得したプレイリストの一覧をモニタ１０４に表示する。例えば、表示制御部１２０は、図３に示すように、プレイリストの一覧情報をモニタ１０４に表示する。
【００１７】
なお、図３に示す例において、「ＶＰＬ１」はビデオプレイリスト（タイトル）、「ＭＰＬ１」はミュージックプレイリスト（タイトル）を示す。また、ビデオプレイリスト「ＶＰＬ１」は、楽曲データ「Ｍ１」、映像データ「Ｖ１」および楽曲データ「Ｍ２」を指し示す（再生の順番は、楽曲データ「Ｍ１」、映像データ「Ｖ１」、楽曲データ「Ｍ２」の順である）。ミュージックプレイリスト「ＭＰＬ１」は、楽曲データ「Ｍ３」、楽曲データ「Ｍ４」、および、楽曲データ「Ｍ５」を指し示す（再生の順番は、楽曲データ「Ｍ３」、楽曲データ「Ｍ４」、楽曲データ「Ｍ５」の順である）。
【００１８】
また、表示制御部１２０は、アナログ変換後の映像データの映像部分を入出力部１７０から取得する。表示制御部１２０は、入出力部１７０から取得したアナログ変換後の映像データの映像部分をモニタ１０４に出力する。
【００１９】
コンテンツ再生装置１０の音声制御部１３０は、アナログ変換後の楽曲データをデジタル−アナログ変換部１６０または入出力部１７０から取得する。音声制御部１３０は、デジタル−アナログ変換部１６０または入出力部１７０から取得したアナログ変換後の楽曲データをスピーカ１０６に出力する。また、音声制御部１３０は、アナログ変換後の映像データの音声部分を入出力部１７０から取得する。音声制御部１３０は、入出力部１７０から取得したアナログ変換後の映像データの音声部分をスピーカ１０６に出力する。
【００２０】
入力受付部１１０は、ボタン１０２、および、モニタ１０４に出力された仮想ボタン（モニタ１０４上に表示された入力インタフェース機能を有するオブジェクト）を介してユーザからの入力を受け付ける。具体的には、入力受付部１１０は、プレイリストの一覧を表示すべき旨の入力を受け付ける。この場合に、入力受付部１１０は、プレイリストを一覧表示すべき旨の要求（以下、「プレイリスト一覧表示要求」という）を外部出力要求部１５０に通知する。
【００２１】
また、入力受付部１１０は、ミュージックプレイリストを選択する仮想ボタンを介して、楽曲データのみを再生すべき旨の入力を受け付ける。この場合に、入力受付部１１０は、当該ミュージックプレイリストに含まれる楽曲データを続けて再生すべき旨の要求（以下、「楽曲データ再生要求」という）を外部出力要求部１５０に通知する。例えば、入力受付部１１０は、図３に示すミュージックプレイリスト「ＭＰＬ１」を選択する仮想ボタン４０１を介して、楽曲データ「Ｍ３」を再生すべき旨の入力を受け付けた場合は、当該楽曲データ「Ｍ３」に続けて楽曲データ「Ｍ４」「Ｍ５」を再生すべき楽曲データ再生要求を外部出力要求部１５０に通知する。
【００２２】
また、入力受付部１１０は、映像データのみが含まれるビデオプレイリストを選択する仮想ボタンを介して、映像データのみを再生すべき旨の入力を受け付ける。この場合に、入力受付部１１０は、当該ビデオプレイリストに含まれる映像データを続けて再生すべき旨の要求（以下、「映像データ再生要求」という）を外部出力要求部１５０に通知する。
【００２３】
また、入力受付部１１０は、楽曲データおよび映像データが含まれるビデオプレイリストを選択する仮想ボタンを介して、楽曲データおよび映像デーを再生すべき旨の入力を受け付ける。この場合に、入力受付部１１０は、当該ビデオプレイリストに含まれる楽曲データおよび映像データを続けて再生すべき旨の要求（以下、「楽曲映像データ再生要求」という）を外部出力要求部１５０に通知する。
【００２４】
例えば、入力受付部１１０は、図３に示すビデオプレイリスト「ＶＰＬ１」を選択する仮想ボタン４００を介して、楽曲データ「Ｍ１」を再生すべき旨の入力を受け付けた場合は、当該楽曲データ「Ｍ１」に続けて映像データ「Ｖ１」、楽曲データ「Ｍ２」を再生すべき楽曲映像データ再生要求を外部出力要求部１５０に通知する。
【００２５】
外部出力要求部１５０は、プレイリスト一覧表示要求を入力受付部１１０から取得する。この場合に、外部出力要求部１５０は、プレイリストの一覧を外部出力すべき旨の要求（以下、「プレイリスト一覧外部出力要求」という）を入出力部１７０に通知する。
【００２６】
また、外部出力要求部１５０は、楽曲データ再生要求を入力受付部１１０から取得する。この場合に、外部出力要求部１５０は、当該楽曲データ再生要求により示される楽曲データをデジタル外部出力すべき旨の要求（以下、「楽曲データデジタル外部出力要求」という）を入出力部１７０に通知する。
【００２７】
また、外部出力要求部１５０は、映像データ再生要求を入力受付部１１０から取得する。この場合に、外部出力要求部１５０は、当該映像データ再生要求により示される映像データをアナログ外部出力すべき旨の要求（以下、「映像データアナログ外部出力要求」という）を入出力部１７０に通知する。
【００２８】
また、外部出力要求部１５０は、楽曲映像データ再生要求を入力受付部１１０から取得する。この場合に、外部出力要求部１５０は、当該楽曲映像データ再生要求により示される楽曲データおよび映像データをアナログ外部出力すべき旨の要求（以下、「楽曲映像データアナログ外部出力要求」という）を入出力部１７０に通知する。
【００２９】
コンテンツ再生装置１０の入出力部１７０は、プレイリスト一覧外部出力要求を外部出力要求部１５０から取得する。この場合に、入出力部１７０は、プレイリスト一覧外部出力要求をコンテンツ記憶装置２０の入出力部２７０に通知する。楽曲データデジタル外部出力要求、映像データアナログ外部出力要求、および、楽曲映像データアナログ外部出力要求を取得した場合も同様である。
【００３０】
また、入出力部１７０は、プレイリスト一覧外部出力要求を通知したコンテンツ記憶装置２０の入出力部２７０から、コンテンツ記憶装置２０のコンテンツ記憶部２００に記憶されたプレイリストの一覧を取得する。この場合に、入出力部１７０は、プレイリストの一覧を表示制御部１２０に供給する。
【００３１】
また、入出力部１７０は、楽曲データデジタル外部出力要求を通知したコンテンツ記憶装置２０の入出力部２７０から、指定したミュージックプレイリストに含まれるアナログ変換前の１以上の楽曲データを取得する。この場合に、入出力部１７０は、取得したアナログ変換前の楽曲データを一時記憶する。入出力部１７０は、一時記憶したアナログ変換前の楽曲データをひとつずつデジタル−アナログ変換部１６０に供給する。
【００３２】
また、入出力部１７０は、映像データアナログ外部出力要求を通知したコンテンツ記憶装置２０の入出力部２７０から、指定したビデオプレイリストに含まれるアナログ変換後の１以上の映像データを取得する。この場合に、入出力部１７０は、取得したアナログ変換後の映像データを一時記憶する。入出力部１７０は、一時記憶したアナログ変換後の映像データについてひとつずつ、映像部分を表示制御部１２０に供給するとともに音声部分を音声制御部１３０に供給する。
【００３３】
また、入出力部１７０は、楽曲映像データアナログ外部出力要求を通知したコンテンツ記憶装置２０の入出力部２７０から、指定したビデオプレイリストに含まれるアナログ変換後の１以上の楽曲データおよびアナログ変換後の１以上の映像データを取得する。この場合に、入出力部１７０は、取得したアナログ変換後の楽曲データおよびアナログ変換後の映像データを一時記憶する。入出力部１７０は、一時記憶したアナログ変換後の楽曲データおよびアナログ変換後の映像データについてひとつずつ、アナログ変換後の楽曲データについては音声制御部１３０に供給し、アナログ変換後の映像データについては映像部分を表示制御部１２０に供給するとともに音声部分を音声制御部１３０に供給する。
【００３４】
デジタル−アナログ変換部１６０は、アナログ変換前の楽曲データを入出力部１７０から取得する。この場合に、デジタル−アナログ変換部１６０は、当該楽曲データをデジタル形式からアナログ形式に変換して、アナログ変換後の楽曲データを音声制御部１３０に供給する。
【００３５】
コンテンツ記憶装置２０の入力受付部２１０は、ボタン２０２、および、モニタ２０４に出力された仮想ボタンを介してユーザからの入力を受け付ける。具体的には、入力受付部２１０は、コンテンツ再生装置１０の入力受付部１１０と同様、プレイリストの一覧を表示すべき旨の入力、楽曲データのみを再生すべき旨の入力、映像データのみを再生すべき旨の入力、または、楽曲データおよび映像データを再生すべき旨の入力を受け付ける。
【００３６】
なお、入力受付部２１０は、プレイリストの一覧を表示すべき旨の入力を受け付けた場合は、プレイリスト一覧表示要求を読出部２４０に通知する。そして、入力受付部２１０は、プレイリスト一覧表示要求を通知した読出部２４０から、プレイリストの一覧を取得して表示制御部２２０に供給する。また、入力受付部２１０は、楽曲データのみを再生すべき旨の入力を受け付けた場合は、楽曲データ再生要求を読出部２４０に通知する。また、入力受付部２１０は、映像データのみを再生すべき旨の入力を受け付けた場合は、映像データ再生要求を読出部２４０に通知する。また、入力受付部２１０は、楽曲データおよび映像データを再生すべき旨の入力を受け付けた場合は、楽曲映像データ再生要求を読出部２４０に通知する。
【００３７】
コンテンツ記憶装置２０の入出力部２７０は、プレイリスト一覧外部出力要求をコンテンツ再生装置１０の入出力部１７０から取得する。この場合に、入出力部２７０は、当該プレイリスト一覧外部出力要求を読出部２４０に通知する。楽曲データデジタル外部出力要求、映像データアナログ外部出力要求、および、楽曲映像データアナログ外部出力要求を取得した場合も同様である。
【００３８】
また、入出力部２７０は、プレイリスト一覧外部出力要求を通知した読出部２４０から、コンテンツ記憶部２００に記憶されたプレイリストの一覧を取得する。この場合に、入出力部２７０は、プレイリストの一覧をコンテンツ再生装置１０の入出力部１７０に供給する。
【００３９】
また、入出力部２７０は、楽曲データデジタル外部出力要求を通知した読出部２４０から、コンテンツ記憶部２００に記憶されたアナログ変換前の楽曲データを取得する。この場合に、入出力部２７０は、アナログ変換前の楽曲データをコンテンツ再生装置１０の入出力部１７０に供給する（デジタル外部出力する）。
【００４０】
また、入出力部２７０は、映像データアナログ外部出力要求を読出部２４０に通知した後に、デジタル−アナログ変換部２６０から、アナログ変換後の映像データを取得する。この場合に、入出力部２７０は、アナログ変換後の楽曲データをコンテンツ再生装置１０の入出力部１７０に供給する（アナログ外部出力する）。
【００４１】
また、入出力部２７０は、楽曲映像データアナログ外部出力要求を読出部２４０に通知した後に、デジタル−アナログ変換部２６０から、アナログ変換後の楽曲データおよびアナログ変換後の映像データを取得する。この場合に、入出力部２７０は、アナログ変換後の楽曲データおよびアナログ変換後の映像データをコンテンツ再生装置１０の入出力部１７０に供給する（アナログ外部出力する）。
【００４２】
読出部２４０は、プレイリスト一覧外部出力要求を入出力部２７０から取得する。この場合に、読出部２４０は、コンテンツ記憶部２００に記憶されたプレイリストを参照し、プレイリストの一覧を生成し、入出力部２７０に供給する。
【００４３】
また、読出部２４０は、楽曲データデジタル外部出力要求を入出力部２７０から取得する。この場合に、読出部２４０は、コンテンツ記憶部２００に記憶された楽曲データを読み出して、入出力部２７０に供給する。
【００４４】
また、読出部２４０は、映像データアナログ外部出力要求を入出力部２７０から取得する。この場合に、読出部２４０は、コンテンツ記憶部２００に記憶された映像データを読み出して、再生装置の指定としてコンテンツ再生装置１０を識別する情報とともに、読み出した映像データをデジタル−アナログ変換部２６０に供給する。
【００４５】
また、読出部２４０は、楽曲映像データアナログ外部出力要求を入出力部２７０から取得する。この場合に、読出部２４０は、コンテンツ記憶部２００に記憶された楽曲データおよび映像データを読み出して、再生装置の指定としてコンテンツ再生装置１０を識別する情報とともに、読み出した楽曲データおよび映像データをデジタル−アナログ変換部２６０に供給する。
【００４６】
また、読出部２４０は、プレイリスト一覧表示要求を入力受付部２１０から取得する。この場合に、読出部２４０は、コンテンツ記憶部２００に記憶されたプレイリストを参照し、プレイリストの一覧を生成し、入力受付部２１０に供給する。
【００４７】
また、読出部２４０は、楽曲データ再生要求、映像データ再生要求および楽曲映像データ再生要求を入力受付部２１０から取得する。楽曲データ再生要求を取得した場合、読出部２４０は、コンテンツ記憶部２００に記憶された楽曲データを読み出して、再生装置の指定として当該装置（コンテンツ記憶装置２０）を識別する情報とともに、読み出した楽曲データをデジタル−アナログ変換部２６０に供給する。映像データ再生要求または楽曲映像データ再生要求を入力受付部２１０から取得した場合も同様である。
【００４８】
デジタル−アナログ変換部２６０は、コンテンツ再生装置１０を識別する情報とともにアナログ変換前の楽曲データを読出部２４０から取得する。この場合に、デジタル−アナログ変換部２６０は、取得した楽曲データをデジタル形式からアナログ形式に変換して、アナログ変換後の楽曲データを入出力部２７０に供給する。
【００４９】
また、デジタル−アナログ変換部２６０は、コンテンツ再生装置１０を識別する情報とともにアナログ変換前の映像データを読出部２４０から取得する。この場合に、デジタル−アナログ変換部２６０は、取得した映像データをデジタル形式からアナログ形式に変換して、アナログ変換後の映像データを入出力部２７０に供給する。
【００５０】
また、デジタル−アナログ変換部２６０は、コンテンツ再生装置１０を識別する情報とともにアナログ変換前の楽曲データおよびアナログ変換前の映像データを読出部２４０から取得する。この場合に、デジタル−アナログ変換部２６０は、取得した楽曲データおよび映像データをデジタル形式からアナログ形式に変換して、アナログ変換後の楽曲データおよび映像データを入出力部２７０に供給する。
【００５１】
また、デジタル−アナログ変換部２６０は、コンテンツ記憶装置２０を識別する情報とともにアナログ変換前の楽曲データを読出部２４０から取得する。この場合に、デジタル−アナログ変換部２６０は、取得した楽曲データをデジタル形式からアナログ形式に変換して、アナログ変換後の楽曲データを音声制御部２３０に供給する。
【００５２】
また、デジタル−アナログ変換部２６０は、コンテンツ記憶装置２０を識別する情報とともにアナログ変換前の映像データを読出部２４０から取得する。この場合に、デジタル−アナログ変換部２６０は、取得した映像データをデジタル形式からアナログ形式に変換して、アナログ変換後の映像データの映像部分を表示制御部２２０に供給するとともに音声部分を音声制御部２３０に供給する。
【００５３】
また、デジタル−アナログ変換部２６０は、コンテンツ記憶装置２０を識別する情報とともにアナログ変換前の楽曲データおよびアナログ変換前の映像データを読出部２４０から取得する。この場合に、デジタル−アナログ変換部２６０は、取得した楽曲データおよび映像データをデジタル形式からアナログ形式に変換して、アナログ変換後の楽曲データについては音声制御部２３０に供給し、アナログ変換後の映像データについては映像部分を表示制御部２２０に供給するとともに音声部分を音声制御部２３０に供給する。
【００５４】
コンテンツ記憶装置２０の表示制御部２２０は、コンテンツ記憶部２００に記憶されたプレイリストの一覧を入力受付部２１０から取得してモニタ２０４に表示する。また、表示制御部２２０は、アナログ変換後の映像データの映像部分をデジタル−アナログ変換部２６０から取得してモニタ２０４に出力する。
【００５５】
コンテンツ記憶装置２０の音声制御部２３０は、アナログ変換後の楽曲データをデジタル−アナログ変換部２６０から取得してヘッドホン端子２０６に出力する。また、音声制御部２３０は、アナログ変換後の映像データの音声部分をデジタル−アナログ変換部２６０から取得してヘッドホン端子２０６に出力する。なお、音声制御部２３０は、ヘッドホンが接続されている場合に限り、これらをヘッドホン端子２０６に出力してもよい。
【００５６】
以下、コンテンツ再生装置１０およびコンテンツ記憶装置２０の動作について説明する。図４は、図１に示すコンテンツ再生装置１０およびコンテンツ記憶装置２０の動作例を示すフローチャートである。図４に示すフローチャートは、コンテンツ再生装置１０の入力受付部１１０がユーザからの入力を受け付けることにより開始する。なお、図４に示すフローチャートの右側はコンテンツ再生装置１０の動作、左側はコンテンツ記憶装置２０の動作を示す。
【００５７】
図４において、コンテンツ再生装置１０の入力受付部１１０は、コンテンツを再生すべき旨の入力を受け付けたか否かを判断する（ステップＳ１００）。入力受付部１１０は、楽曲データのみを再生すべき旨の入力、映像データのみを再生すべき旨の入力、または、楽曲データおよび映像データを再生すべき旨の入力を受け付けた場合に、コンテンツを再生すべき旨の入力を受け付けたと判断する。コンテンツを再生すべき旨の入力を受け付けていないと入力受付部１１０にて判断した場合（ステップＳ１００：Ｎｏ）、本フローチャートは終了する。
【００５８】
一方、コンテンツを再生すべき旨の入力を受け付けたと入力受付部１１０にて判断した場合（ステップＳ１００：Ｙｅｓ）、入力受付部１１０は、映像データを含む１以上のコンテンツを再生すべき旨の入力を受け付けたか否かを判断する（ステップＳ１１０）。入力受付部１１０は、映像データのみを再生すべき旨の入力、または、楽曲データおよび映像データを再生すべき旨の入力を受け付けた場合に、映像データを含む１以上のコンテンツを再生すべき旨の入力を受け付けたと判断する。
【００５９】
映像データを含む１以上のコンテンツを再生すべき旨の入力を受け付けていないと入力受付部１１０にて判断した場合（ステップＳ１１０：Ｎｏ）、つまり、楽曲データのみを再生すべき旨の入力を受け付けたと入力受付部１１０にて判断した場合、入力受付部１１０は、楽曲データ再生要求を外部出力要求部１５０に通知する。外部出力要求部１５０から楽曲データ再生要求を取得した外部出力要求部１５０は、楽曲データデジタル外部出力要求を入出力部１７０に通知する。この通知を受けた入出力部１７０は、当該楽曲データデジタル外部出力要求をコンテンツ記憶装置２０の入出力部２７０に通知する（ステップＳ１２０）。
【００６０】
一方、映像データを含む１以上のコンテンツを再生すべき旨の入力を受け付けと入力受付部１１０にて判断した場合（ステップＳ１１０：Ｙｅｓ）、入力受付部１１０は、映像データ再生要求または楽曲映像データ再生要求を外部出力要求部１５０に通知する。具体的には、映像データのみを再生すべき旨の入力を受け付けと入力受付部１１０にて判断した場合、入力受付部１１０は、映像データ再生要求を外部出力要求部１５０に通知する。また、楽曲データおよび映像データを再生すべき旨の入力を受け付けたと入力受付部１１０にて判断した場合、入力受付部１１０は、楽曲映像データ再生要求を外部出力要求部１５０に通知する。
【００６１】
外部出力要求部１５０から映像データ再生要求を取得した外部出力要求部１５０は、映像データアナログ外部出力要求を入出力部１７０に通知する。この通知を受けた入出力部１７０は、当該映像データアナログ外部出力要求をコンテンツ記憶装置２０の入出力部２７０に通知する（ステップＳ１２２）。同様に、外部出力要求部１５０から楽曲映像データ再生要求を取得した外部出力要求部１５０は、楽曲映像データアナログ外部出力要求を入出力部１７０に通知する。この通知を受けた入出力部１７０は、当該楽曲映像データアナログ外部出力要求をコンテンツ記憶装置２０の入出力部２７０に通知する（ステップＳ１２２）。
【００６２】
コンテンツ記憶装置２０の入出力部２７０は、コンテンツ再生装置１０の入出力部１７０からコンテンツの外部出力要求を受け付けたか否かを判断する（ステップＳ２００）。入出力部２７０は、楽曲データデジタル外部出力要求、映像データアナログ外部出力要求、または、楽曲映像データアナログ外部出力要求を取得した場合に、コンテンツの外部出力要求を受け付けたと判断する。コンテンツ再生装置１０の入出力部１７０からコンテンツの外部出力要求を受け付けていないと入出力部２７０にて判断した場合（ステップＳ２００：Ｎｏ）、本フローチャートは終了する。
【００６３】
一方、コンテンツ再生装置１０の入出力部１７０からコンテンツの外部出力要求を受け付けたと入出力部２７０にて判断した場合（ステップＳ２００：Ｙｅｓ）、入出力部２７０は、コンテンツのデジタル外部出力要求を受け付けたか否かを判断する（ステップＳ２２０）。入出力部２７０は、楽曲データデジタル外部出力要求を取得した場合に、コンテンツのデジタル外部出力要求を受け付けたと判断する。
【００６４】
コンテンツのデジタル外部出力要求を受け付けたと入出力部２７０にて判断した場合（ステップＳ２２０：Ｙｅｓ）、入出力部２７０は、当該デジタル外部出力要求を読出部２４０に通知する。入出力部２７０からデジタル外部出力要求を取得した読出部２４０は、コンテンツ記憶部２００に記憶された楽曲データを読み出して、入出力部２７０に供給する。そして、入出力部２７０は、読出部２４０から取得したアナログ変換前の楽曲データをコンテンツ再生装置１０の入出力部１７０にデジタル外部出力する（ステップＳ２３０）。
【００６５】
一方、コンテンツのデジタル外部出力要求を受け付けていないと入出力部２７０にて判断した場合（ステップＳ２２０：Ｎｏ）、つまり、映像データアナログ外部出力要求、または、楽曲映像データアナログ外部出力要求を取得したと入出力部２７０にて判断した場合、入出力部２７０は、当該映像データアナログ外部出力要求、または、当該楽曲映像データアナログ外部出力要求を読出部２４０に通知する。
【００６６】
入出力部２７０から映像データアナログ外部出力要求を取得した読出部２４０は、コンテンツ記憶部２００に記憶された映像データ（アナログ変換前の楽曲データ）を読み出して、再生装置の指定としてコンテンツ再生装置１０を識別する情報とともに、読み出した映像データをデジタル−アナログ変換部２６０に供給する。この場合に、デジタル−アナログ変換部２６０は、当該映像データをデジタル形式からアナログ形式に変換して、アナログ変換後の映像データを入出力部２７０に供給する。そして、入出力部２７０は、デジタル−アナログ変換部２６０から取得したアナログ変換後の映像データをコンテンツ再生装置１０の入出力部１７０にアナログ外部出力する（ステップＳ２３２）。
【００６７】
同様に、入出力部２７０から楽曲映像データアナログ外部出力要求を取得した読出部２４０は、コンテンツ記憶部２００に記憶された楽曲データ（アナログ変換前の楽曲データ）、および、映像データ（アナログ変換前の楽曲データ）を読み出して、再生装置の指定としてコンテンツ再生装置１０を識別する情報とともに、読み出した楽曲データおよび映像データをデジタル−アナログ変換部２６０に供給する。この場合に、デジタル−アナログ変換部２６０は、当該楽曲データおよび当該映像データをデジタル形式からアナログ形式に変換して、アナログ変換後の楽曲データおよび映像データを入出力部２７０に供給する。そして、入出力部２７０は、デジタル−アナログ変換部２６０から取得したアナログ変換後の楽曲データおよび映像データをコンテンツ再生装置１０の入出力部１７０にアナログ外部出力する（ステップＳ２３２）。
【００６８】
ステップＳ２３０に続いて、コンテンツ再生装置１０の入出力部１７０は、アナログ変換前の楽曲データをコンテンツ記憶装置２０の入出力部２７０からデジタル外部入力する（ステップＳ１３０）。入出力部１７０は、入出力部２７０から取得したアナログ変換前の楽曲データを一時記憶し、ひとつずつデジタル−アナログ変換部１６０に供給する。デジタル−アナログ変換部１６０は、入出力部１７０から取得した当該楽曲データをデジタル形式からアナログ形式に変換して、アナログ変換後の楽曲データを音声制御部１３０に供給する（ステップＳ１４０）。
【００６９】
そして、音声制御部１３０は、デジタル−アナログ変換部１６０から取得したアナログ変換後の楽曲データをスピーカ１０６に出力して再生する（ステップＳ１５０）。音声制御部１３０は、楽曲データの再生を終了するか否かを判断する（ステップＳ１６０）。音声制御部１３０は、入出力部１７０に一時記憶している楽曲データを全てスピーカ１０６に出力した場合に、楽曲データの再生を終了すると判断する。楽曲データの再生を終了しないと音声制御部１３０にて判断した場合（ステップＳ１６０：Ｎｏ）、ステップＳ１４０に戻る。一方、楽曲データの再生を終了すると音声制御部１３０にて判断した場合（ステップＳ１６０：Ｙｅｓ）、本フローチャートは終了する。
【００７０】
ステップＳ２３２に続いて、コンテンツ再生装置１０の入出力部１７０は、アナログ変換後の楽曲データまたは映像データをコンテンツ記憶装置２０の入出力部２７０からアナログ外部入力する（ステップＳ１３２）。入出力部１７０は、入出力部２７０から取得したアナログ変換後の楽曲データまたは映像データを一時記憶する。入出力部１７０は、一時記憶したアナログ変換後の楽曲データおよびアナログ変換後の映像データについてひとつずつ、アナログ変換後の楽曲データについては音声制御部１３０に供給し、アナログ変換後の映像データについては映像部分を表示制御部１２０に供給するとともに音声部分を音声制御部１３０に供給する。
【００７１】
そして、音声制御部１３０は、入出力部１７０から取得したアナログ変換後の楽曲データまたはアナログ変換後の映像データの音声部分をスピーカ１０６に出力して再生する（ステップＳ１５２）。また、表示制御部１２０は、入出力部１７０から取得したアナログ変換後の映像データの映像部分をモニタ１０４に出力して再生する（ステップＳ１５２）。
【００７２】
音声制御部１３０は、楽曲データまたは映像データの再生を終了するか否かを判断する（ステップＳ１６２）。音声制御部１３０は、入出力部１７０に一時記憶している楽曲データおよび映像データを全て出力した場合に、楽曲データおよび映像データの再生を終了すると判断する。楽曲データおよび映像データの再生を終了しないと音声制御部１３０にて判断した場合（ステップＳ１６２：Ｎｏ）、ステップＳ１５２に戻る。一方、楽曲データの再生を終了すると音声制御部１３０にて判断した場合（ステップＳ１６２：Ｙｅｓ）、本フローチャートは終了する。
【００７３】
以上、本実施形態のコンテンツ再生装置１０によれば、当該コンテンツ再生装置１０にて楽曲データに続いて映像データを再生する場合、楽曲データも映像データもコンテンツ記憶装置２０からアナログ外部入力する。従って、デジタル外部入力した楽曲データに続いてアナログ外部入力した映像データを再生する場合に生じるデジタル情報の再生からアナログ情報の再生への切り替え処理（直前に再生していた楽曲データを供給していたデジタル−アナログ変換部１６０に、続いて再生すべき映像データをまずは供給した後に、改めて供給しないように切り替える処理）がなくなる。楽曲データも映像データもアナログ外部入力したため、共にデジタル−アナログ変換部１６０を使用しないからである。
【００７４】
同様に、コンテンツ再生装置１０にて映像データに続いて楽曲データを再生する場合、映像データも楽曲データもコンテンツ記憶装置２０からアナログ外部入力する。従って、アナログ外部入力した映像データに続いてデジタル外部入力した楽曲データを再生する場合に生じるアナログ情報の再生からデジタル情報の再生への切り替え処理（直前に再生していた映像データを供給していなかったデジタル−アナログ変換部１６０に、続いて再生すべき映像データもまずは供給しなかった後に（表示制御部１２０および音声制御部１３０に直接供給した後に）、改めて供給するように切り替える処理）がなくなる。映像データも楽曲データもアナログ外部入力したため、共にデジタル−アナログ変換部１６０を使用しないからである。従って、コンテンツ再生装置にて、楽曲データに続いて映像データを再生する場合であっても、映像データに続いて楽曲データを再生する場合であっても、続いて再生されるべき映像データまたは楽曲データの音声を頭部分から出力できるようになる。
【００７５】
なお、上記実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【図面の簡単な説明】
【００７６】
【図１】本発明の実施形態であるコンテンツ再生装置およびこれに接続するコンテンツ記憶装置の外観を示す図である。
【図２】図１に示すコンテンツ再生装置およびコンテンツ記憶装置の構成例を示す図である。
【図３】図１に示すコンテンツ再生装置のモニタの表示例を示す図である。
【図４】図１に示すコンテンツ再生装置およびコンテンツ記憶装置の動作例を示すフローチャートである。
【符号の説明】
【００７７】
１０  コンテンツ再生装置
２０  コンテンツ記憶装置
１０２  ボタン
１０４  モニタ
１０６  スピーカ
１１０  入力受付部
１２０  表示制御部
１３０  音声制御部
１５０  外部出力要求部
１６０  デジタルーアナログ変換部
１７０  入出力部
２００  コンテンツ記憶部
２４０  読出部
２６０  デジタル−アナログ変換部
２７０  入出力部
【図１】
2009252250.tif 000003
【図２】
2009252250.tif 000004
【図３】
2009252250.tif 000005
【図４】
2009252250.tif 000006